(57)【要約】【課題】組立性や保管性が良好で、耐久性の高い組立トイレを提供する。【解決手段】天側シート１０と底側シート２０との２枚のシートから構成されており、４枚の側板部３０が井桁状に組み合わせられて略直方体形状をなす。天側シート１０は、中央の矩形の座板部１１と左右一対の左側板部１４と右側板部１５とを備える。座板部１１には、中央に排泄用の開口１６が形成されている。底側シート２０は、中央の矩形の底板部２１と前後一対の前側板部２４と右側板部１５とを備える。組立構造からの側板部３０を、屈曲線３３から３／４回転程度、外側に回動させて、座板部１１の上方に重ねることができる。【選択図】図１
2018057629.tif 000002
【特許請求の範囲】
【請求項１】
複数のシートを収納構造から組立構造にして使用する組立便器において、
天側シートと、底側シートとの２枚のシートから構成され、
前記天側シートは座板部と、前記座板部と屈曲線を介して連設された一対の側板部とを備え、
前記天側シートの前記一対の側板部は前記座板部の前後と左右とのいずれか一方に配置され、
前記座板部はその中央に排泄用の開口を備え、
前記天側シートの前記一対の側板部は、組み合わせ用の切り込みを備え、
前記底側シートは底板部と、前記底板部と屈曲線を介して連設された一対の側板部とを備え、
前記底側シートの前記一対の側板部は前記座板部の前後と左右とのいずれか他方に配置され、
前記天側シートの前記一対の側板部は、組み合わせ用の切り込みを備え、
前記天側シートの前記一対の側板部は、前記座板部に対して内側に折り曲げられた略垂下状態とされ、前記底側シートの前記一対の側板部は、前記底板部に対して内側に折り曲げられた略直立状態とされ、
前記天側シートの前記切り込みと前記底側シートの前記切り込みとを組み合わせて、前記天側シートと前記底側シートとを略直方体の組立構造となるように構成され、
前記組立構造から、前記略垂下状態の前記側板部を前記屈曲線から回動させて、前記座板部の上方に重ねると共に、前記略直立状態の前記側板部を前記屈曲線から回動させて、前記底板部の下方に重ねることにより、折り畳み構造となるものであり、
天側シートと底側シートとは、２枚の内外シートの間に多数の小筒部を配置した合成樹脂製ボードから構成され、
前記小筒部は、複数の小筒部を直線状に等間隔に配置した筒列が、複数列互いに平行
に配列されたものであり、
前記筒列は、前記屈曲線を斜めに横切っていることを特徴とする組立便器。
【請求項２】
前記組立構造から、前記略垂下状態の前記側板部を前記屈曲線から外側に略３直角回動させて、前記座板部の上方に重ねると共に、前記略直立状態の前記側板部を前記屈曲線から外側に略３／４回転させて、前記底板部の下方に重ねることにより、折り畳み構造となるものであり、
前記折り畳み構造において、前記天側シートの２つの前記側板部同士が重ならず、前記底側シートの２つの前記側板部同士が重ならないものであることを特徴とする請求項１記載の組立便器。
【請求項３】
前記屈曲線は、天側シート及び底側シートの内側から外側に凹んだ谷溝を備え、
前記谷溝の幅は、前記小筒部の半径よりも大きく、
前記筒列のそれぞれの列は、少なくとも３個の前記小筒部の全部または一部が、前記谷溝内に位置しており、
前記谷溝の長手方向における前記小筒部の配置状態が周期的に変化していることを特徴とする請求項１又は２に記載の組立便器。
【請求項４】
前記屈曲線以外のシートを曲げるための線を、前記天側シートが備えていないことを特徴とする請求項１〜３の何れかに記載の組立便器。
【発明の詳細な説明】
【技術分野】
【０００１】
本発明は、組立便器に関するものである。
【背景技術】
【０００２】
従来、複数のシートを組立て立体構造にして使用する組立便器が種々提案されている。この種の便器は、家庭や事業所での防災対策用品として、或いは、自動車での移動時や屋外キャンプでのレジャー用品として用いるなど、種々の目的で利用されている。例えば、特許文献１に示す組立便器は、プラスチックダンボールで形成された底面部、４枚の側板部、台座部から構成される直方体状の組立式便器であって、プラスチックダンボールは平行配置された２枚の平行状プラスチックシートの間に波形となされたプラスチック波形板を介在させて接着されており、４枚の側板部の波形板の筋目が組立状態で縦向きであり、対向する２枚の側板部と底面部は一体的に形成され、４枚の側板部には両端近傍に係合溝が形成され、前記対向する２枚の側板部の係合溝が、他の対向する２枚の側板部の係合溝と嵌め合わされて直方体状の筒を形成し、その上に台座部を置いてなるものである。この特許文献１に係る組立便器は、上記のとおり、台座部を構成するシートと、２枚の側板部と底面部とが一体的に形成されとシートと、他の側板部をそれぞれ構成する２枚のシートとの合計４枚のシートに分割されたものであり、これら４枚のシートを組み立てる必要がある。
【０００３】
また、特許文献２に係る組立トイレは、前後左右の側板部をそれぞれ構成する４枚のシートと座板部を構成するシートとの少なくとも５枚のシートに分割されたものであり、これら５枚のシートを組み立てる必要がある。
これらの特許文献に係る組立トイレは、いずれも前後左右の側板部を井桁状に組み合わせるものであるが、いずれも４枚以上のシートに分割されているものであり、組み立てる手順が分かりにくかったり、組立保管を繰り返すうちに１枚のシートが紛失したりするなど、組立性と保管性とに課題を有するものである。
【先行技術文献】
【特許文献】
【０００４】
【特許文献１】特開２０１１−２５１０６６号公報
【特許文献２】登録実用新案第３０９９９５７号公報
【発明の概要】
【発明が解決しようとする課題】
【０００５】
本発明が解決しようとする課題は、組立性や保管性が良好で、耐久性の高い組立トイレを提供することを課題とする。また、本発明の他の課題は、使用感、特に便座に着座した際の安定性と使用感の良好な組立トイレを提供することにある。
【課題を解決するための手段】
【０００６】
本発明は、複数のシートを組立て立体構造にして使用する組立便器の改良に関するものであり、この組立便器は、天側シートと、底側シートとの２枚のシートから構成されている。
前記天側シートは、座板部と一対の側板部とを備える。前記天側シートの前記一対の側板部は前記座板部の前後と左右とのいずれか一方に配置される。前記座板部はその中央に排泄用の開口を備える。前記天側シートの前記一対の側板部は、組み合わせ用の切り込みを備える。
【０００７】
前記底側シートは、底板部と一対の側板部とを備える。前記底側シートの前記一対の側板部は前記座板部の前後と左右とのいずれか他方に配置される。前記天側シートの前記一対の側板部は、組み合わせ用の切り込みを備える。
そして、前記天側シートの前記一対の側板部を前記座板部に対して屈曲線から略直角に折り曲げ、前記底側シートの前記一対の側板部を前記底板部に対して屈曲線から略直角に折り曲げ、前記天側シートの前記切り込みと前記底側シートの前記切り込みとを組み合わせて、前記天側シートと前記底側シートとを略直方体構造に組み立てるように構成されたものである。
【０００８】
組立状態において、前記天側シートの前記座板部は、前記天側シートの前記側板部の上辺から横方向に延設され、且つ、前記底側シートの前記側板部の端面に支持されているものとすることができる。
前記座板部又は前記底板部には、その前後と左右とのいずれかに伸びる折り目線を設けて、前記座板部又は前記底板部をその中央などから二つ折りにすることができるようにしてもかわまないが、前記座板部を二つ折りにすると、使用者が着座した際に違和感を覚えるおそれがあり、また二つ折りの折り目線から組立状態において「ヘ」の字状に曲がった状態となってしまうおそれがあるため、前記座板部と前記底板部とには（特に、前記座板部には）、中央などから二つ折りにする折り目線を設けずに実施することが好ましい。
望ましい折り畳み状態では、前記屈曲線で両側の前記側板部を、前記座板部又は前記底板部に折り重ねるようにするもので、これによって、上記の弊害を除去することができる。特に好ましくは、前記座板部又は前記底板部の長さを、両側の２枚の前記側板部の長さの和よりも長くしておくことで、両側の前記側板部が折り畳み状態で重ならないようにコンパクトに折り畳むことができる。
【０００９】
前記は屈曲線は、上記の望ましい折り畳み状態から、前記両側板部を直角、即ち略９０度に曲げることができるものであってもかまわないが、前記両側板部を略略３／４回転させることができるように構成することが、耐久性の向上の観点と、外観の良好性の向上の観点から好ましい。
【００１０】
前記天側シートと前記底側シートとは、２枚の内外シートの間に多数の小筒部を配置した合成樹脂製ボードから構成される。
前記小筒部は、複数の小筒部を直線状に等間隔に配置した筒列が、複数列互いに平行に配列されたものである。
ここで、前記筒列は、前記屈曲線に対して平行にすることも可能であるが、前記筒列が前記屈曲線を斜めに横切っているものとすることによって、使用時及び折り畳み状態における耐久性が向上する。
【００１１】
前記屈曲線は、天側シート及び底側シートの内側から外側に凹んだ谷溝として実施することができる。前記谷溝の幅は、前記小筒部の半径よりも大きなものとし、前記筒列のそれぞれの列は、少なくとも３個の前記小筒部の全部または一部が、前記谷溝内に位置しているのが適当である。
【発明の効果】
【００１２】
本発明は、組立性や保管性が良好で、耐久性の高い組立トイレを提供することができたものである。また、本発明は、使用感、特に便座に着座した際の安定性と使用感の良好な組立トイレを提供することができたものである。
【図面の簡単な説明】
【００１３】
【図１】本発明の実施の形態に係る組立トイレの上方からの斜視図。
【図２】同組立トイレの下方からの斜視図。
【図３】（Ａ）は同組立トイレの天側シートの展開図、（Ｂ）は同組立トイレの底側シートの展開図。
【図４】同組立トイレの天側シートを二つ折りにした状態の平面図。
【図５】（Ａ）は同組立トイレの天側シートと底側シートの両シートの要部拡大平面図、（Ｂ）は同両シートの展開状態の屈曲線の拡大正面図、（Ｃ）は同両シートの組立状態の屈曲線の拡大正面図、（Ｄ）は同両シートの折り畳み状態の屈曲線の拡大正面図。
【発明を実施するための形態】
【００１４】
以下、図面に基づき本発明の実施の形態を説明する。なお本発明において前後左右は相対的な位置関係を示すに止まり絶対的な位置を特定するものではない。
図１〜図５に示す実施の形態に係る組立トイレは、天側シート１０と底側シート２０との２枚のシートから構成されており、図１及び図２に示す組立状態で４枚の側板部３０（左側板部１４、右側板部１５、前側板部２４、後側板部２５）が井桁状に組み合わせられて略直方体形状をなす。展開状態では、天側シート１０と底側シート２０とが別々のシートとなり（図３参照）、これらのシートを折り畳んで重ね合わせることができる。なお、以下の説明で左側板部１４、右側板部１５、前側板部２４、後側板部２５を特に区別する必要のないときは側板部３０と呼ぶ。
【００１５】
天側シート１０は、中央の矩形の座板部１１と、座板部１１の左右両側から屈曲線３３を介して組立状態で垂下するように折り曲げられて下方に伸びる左右一対の左側板部１４と右側板部１５とを備える。座板部１１には、中央に排泄用の開口１６が形成されている。使用に際しては、図示は省略するが、この排泄用の開口１６内に合成樹脂製の袋を配置して、袋の口付近を座板部１１に被せて用いる。袋内には、凝固剤や芳香剤などの薬剤を配置してもよい。排泄用の開口１６の形状は正方形や長方形などの略矩形の他、円形や楕円形などとすることができる。また、座板部１１の平面形状も正方形や長方形などの略矩形の他、陸上トラック形状などとすることもできる。
【００１６】
底側シート２０は、中央の矩形の底板部２１と、底板部２１の前後両側から屈曲線３３を介して組立状態で略直立するように折り曲げられて上方に伸びる前後一対の前側板部２４と右側板部１５とを備える。この底板部２１には、開口は形成されていないが、開口を設けて実施することもできる。
これらの天側シート１０と底側シート２０とは展開状態で略同一の長方形の外形状をなしているが、両シートの大きさを完全に一致させる必要はない。
各側板部３０には、それぞれの端辺から中央に向けて２本の切り込み３１が形成されている。切り込み３１の幅は側板部３０の厚みに略等しいが、組み合わせを容易にするために切り込み３１の開口端には面取りが施されている。切り込み３１の長さは、組立時に組み合わせられる両方の切り込み３１の長さの和が側板部３０以上となるように設定されるもので、通常は側板部３０の高さの略半分程度とするのが適当である。
【００１７】
屈曲線３３は展開状態から折り畳み状態となるまで、側板部３０を略３／４回転（約２４０〜２７０度）回転させて折り曲げることができるものとすることが望ましい。そして、折り畳み状態では、座板部１１の上方に左右の側板部３０を重ねると共に、底板部２１の下方に前後の側板部３０を重ねるものとし、より望ましくは、側板部３０同士が互いに重ならないようにすることにより、折り畳み状態の嵩が低くなる構造とする。
勿論、折り畳み状態で、各側板部３０が座板部１１や底板部２１にピッタリと接触するように重なる必要はなく、座板部１１や底板部２１から鋭角に各側板部３０が伸びている状態であってもかまわない。
【００１８】
天側シート１０と底側シート２０は、図５に示すように、２枚の合成樹脂製の内外シート４１の間に多数の合成樹脂製の小筒部４２を配置した合成樹脂製ボードから構成されている。この種の合成樹脂製ボードは、特開２０１０−１１１４０９号の合成樹脂製ボード（川上産業株式会社のプラパール（商標））などが知られているが、他社製のボードであってもかまわない。小筒部４２は、その断面形状が円形の円筒状であってもよく、多角形などの角筒状などの他の形状であってもよい。
【００１９】
特許文献１では、プラスチック段ボールなどのように方向性を有するものを用いる場合には、波形の突状及び凹状の伸びる方向が、側板部における縦方向（上下方向）となるように配置することが推奨されている。これに対して、上記の合成樹脂製ボードは方向性が低い（縦横の方向によって強度などが変化し難い）ため、ボードの向きに関しては自由度が高いものではあるが、本発明にあっては、次の構成とすることによって、その方向性をより低いものとした。
【００２０】
具体的には、図５（Ａ）に示すように、合成樹脂製ボードは、複数の小筒部４２を直線状に等間隔に配置した筒列ｔ（ｔ１、ｔ２）を備えるものであり、隣り合う筒列ｔ１、ｔ２同士が半ピッチずつ、ずらされて配置されている。このように、隣り合う筒列ｔ１、ｔ２同士が半ピッチずつ、ずらされて配置されているため、上記のように方向性が低くなるが、さらに、筒列ｔが、屈曲線３３を斜めに横切るように配置することによって、その方向性をより低いものとした。この例では図３に示すように、角ａ＝約１５度で傾斜させているが、約１０〜５０度の範囲内とすることが好ましい。
【００２１】
そして、図５（Ｂ）に示すように、屈曲線３３が、天側シート１０及び底側シート２０の内側から外側に凹んだ谷溝４３を備えたものとした。この、谷溝４３は、略Ｖ字状をなすようにし、図５（Ｃ）に示す組立状態において、谷溝４３の谷面４４同士が略接するようにした。これによって、組立状態で、座板部１１の谷面４４が、左右の側板部３０の谷面４４の上に乗る状態となり、座板部１１の荷重を面として受けることができる。例えば、屈曲線３３は展開状態から折り畳み状態となるまで、側板部３０を略１／４回転（約９０度）回転させて折り曲げるように構成することもできるが、この構造であれば、組立状態で、座板部１１の谷面４４が、左右の側板部３０の谷面４４の上に乗らずに、内外シート４１で荷重を受けることになってしまい、耐久性が低下する。
【００２２】
次に、谷溝４３の幅は、小筒部４２の半径よりも大きいものとして実施することが望ましい。その際、小筒部４２の径や厚みにもよるが、谷溝４３の幅は、小筒部４２の直径の２倍よりも小さいものとして実施することが適当である。これによって、前記筒列のそれぞれの列は、少なくとも３個、この例では７個の小筒部４２の少なくとも一部が、谷溝４３内に位置する。また、各筒列ｔ（ｔ１、ｔ２）が互いに平行とすることによって、谷溝４３の長手方向（図５（Ａ）の上下方向）における小筒部４２の配置状態が周期的に変化する。
従って、谷溝４３内には様々な形態で小筒部４２が位置することになり、製品全体としての強度が安定する。具体的には、筒列ｔを谷溝４３に対して直交又は平行に配置した場合、筒列ｔと谷溝４３との位置関係によって、変化する。
特に、屈曲線３３がハーフカットのような線状のもので構成されていたり、谷溝４３の幅が小筒部４２の半径よりも小さい場合には、上記両者の位置関係によって、小筒部４２の無い部分に屈曲線３３が位置したり、逆に大部分が小筒部４２上に位置したりする場合がある。小筒部４２（詳しくは小筒部４２は中空であるため断面が円径の周壁）の場合、その周壁があることによってその部分の強度が、周壁がない部分に比して、高くなる。これによって、上記両者の位置関係によって、屈曲線３３の強度が変化し、製品間での強度のバラツキや、同一製品でも４本ある屈曲線３３間での強度のバラツキが生じるおそれがある。
これに対して、この実施の形態にあっては、上記両者の位置関係が変化しても、谷溝４３内に位置する多数の小筒部４２群全体の配置状態は実質的に変化しないため、製品間での強度のバラツキや、４本ある屈曲線３３間での強度のバラツキが生じることを抑制することができる。
【００２３】
また、屈曲線３３は、天側シート１０及び底側シート２０の内側から外側に凹んだ谷溝４３を備えているため、図５（Ｃ）の組立状態から図５（Ｄ）の折り畳み状態となるまで、３直角程度の大きな角度範囲で側板部３０を折り曲げ回動させることができる。特に、谷溝４３を略Ｖ字状の金型により合成樹脂製ボードに加熱押圧するなどして、内外シート４１及び小筒部４２を溶融変形させて形成した場合などでは、谷溝４３の中央の谷底が２枚の内外シート４１同士が重なって配置され（望ましくは両シートが溶着して一体化され）ているため、屈曲線をハーフカットによって一方のシートを切断して形成される場合に比して、耐久性を向上させることができるものである。
【００２４】
なお本発明の実施に際して、側板部３０に対して、二つ折り用の屈曲線を介して側板延長部を延設して実施することもできる。これによって、側板部３０が二重となって強度が高まる。また、二つ折り用の屈曲線の代わりに、２本の屈曲線を設けてコ字状に折り曲げるものであってもかまわない。
いずれの例にあっても、座板部１１に屈曲線を設けずに実施することができるため、座板部１１はフラットな状態に維持することができ、コンパクトに折り畳むことができることと同時に、便座に着座した際の使用感を向上させることとの両立困難な要求を満足させることができたものである。また、天側シート１０と底側シート２０との２枚のシートから構成されており、４枚の側板部３０が井桁状に組み合わせられて略直方体形状をなすため、何れの方向から力が加わったとしても安定する構造をなしており、安定性と使用感と折り畳み性の良好な組立トイレを提供することができたものである。
【符号の説明】
【００２５】
１０  天側シート
１１  座板部
１４  左側板部
１５  右側板部
１６  開口
２０  底側シート
２１  底板部
２４  前側板部
２５  後側板部
２６  背側板部
３０  側板部
３１  切り込み
３３  屈曲線
４１  内外シート
４２  小筒部
４３  谷溝
４４  谷面
【図１】
2018057629.tif 000003
【図２】
2018057629.tif 000004
【図３】
2018057629.tif 000005
【図４】
2018057629.tif 000006
【図５】
2018057629.tif 000007
【手続補正書】
【提出日】平成29年2月2日(2017.2.2)
【手続補正１】
【補正対象書類名】特許請求の範囲
【補正対象項目名】全文
【補正方法】変更
【補正の内容】
【特許請求の範囲】
【請求項１】
複数のシートを収納構造から組立構造にして使用する組立便器において、
天側シートと、底側シートとの２枚のシートから構成され、
前記天側シートは座板部と、前記座板部と屈曲線を介して連設された一対の側板部とを備え、
前記天側シートの前記一対の側板部は前記座板部の前後と左右とのいずれか一方に配置され、
前記座板部はその中央に排泄用の開口を備え、
前記天側シートの前記一対の側板部は、組み合わせ用の切り込みを備え、
前記底側シートは底板部と、前記底板部と屈曲線を介して連設された一対の側板部とを備え、
前記底側シートの前記一対の側板部は前記座板部の前後と左右とのいずれか他方に配置され、
前記底側シートの前記一対の側板部は、組み合わせ用の切り込みを備え、
前記天側シートの前記一対の側板部は、前記座板部に対して内側に折り曲げられた略垂下状態とされ、前記底側シートの前記一対の側板部は、前記底板部に対して内側に折り曲げられた略直立状態とされ、
前記天側シートの前記切り込みと前記底側シートの前記切り込みとを組み合わせて、前記天側シートと前記底側シートとを略直方体の組立構造となるように構成され、
前記組立構造から、前記略垂下状態の前記側板部を前記屈曲線から回動させて、前記座板部の上方に重ねると共に、前記略直立状態の前記側板部を前記屈曲線から回動させて、前記底板部の下方に重ねることにより、折り畳み構造となるものであり、
天側シートと底側シートとは、２枚の内外シートの間に多数の小筒部を配置した合成樹脂製ボードから構成され、
前記小筒部は、複数の小筒部を直線状に等間隔に配置した筒列が、複数列互いに平行
に配列されたものであり、
前記筒列は、前記屈曲線を斜めに横切っていることを特徴とする組立便器。
【請求項２】
前記組立構造から、前記略垂下状態の前記側板部を前記屈曲線から外側に略３直角回動させて、前記座板部の上方に重ねると共に、前記略直立状態の前記側板部を前記屈曲線から外側に略３／４回転させて、前記底板部の下方に重ねることにより、折り畳み構造となるものであり、
前記折り畳み構造において、前記天側シートの２つの前記側板部同士が重ならず、前記底側シートの２つの前記側板部同士が重ならないものであることを特徴とする請求項１記載の組立便器。
【請求項３】
前記屈曲線は、天側シート及び底側シートの内側から外側に凹んだ谷溝を備え、
前記谷溝の幅は、前記小筒部の半径よりも大きく、
前記筒列のそれぞれの列は、少なくとも３個の前記小筒部の全部または一部が、前記谷溝内に位置しており、
前記谷溝の長手方向における前記小筒部の配置状態が周期的に変化していることを特徴とする請求項１又は２に記載の組立便器。
【請求項４】
前記屈曲線以外のシートを曲げるための線を、前記天側シートが備えていないことを特徴とする請求項１〜３の何れかに記載の組立便器。
【手続補正書】
【提出日】平成29年4月27日(2017.4.27)
【手続補正１】
【補正対象書類名】特許請求の範囲
【補正対象項目名】全文
【補正方法】変更
【補正の内容】
【特許請求の範囲】
【請求項１】
複数のシートを収納構造から組立構造にして使用する組立便器において、
天側シートと、底側シートとの２枚のシートから構成され、
前記天側シートは座板部と、前記座板部と屈曲線を介して連設された一対の側板部とを備え、
前記天側シートの前記一対の側板部は前記座板部の前後と左右とのいずれか一方に配置され、
前記座板部はその中央に排泄用の開口を備え、
前記天側シートの前記一対の側板部は、組み合わせ用の切り込みを備え、
前記底側シートは底板部と、前記底板部と屈曲線を介して連設された一対の側板部とを備え、
前記底側シートの前記一対の側板部は前記座板部の前後と左右とのいずれか他方に配置され、
前記底側シートの前記一対の側板部は、組み合わせ用の切り込みを備え、
前記天側シートの前記一対の側板部は、前記座板部に対して内側に折り曲げられた略垂下状態とされ、前記底側シートの前記一対の側板部は、前記底板部に対して内側に折り曲げられた略直立状態とされ、
前記天側シートの前記切り込みと前記底側シートの前記切り込みとを組み合わせて、前記天側シートと前記底側シートとを略直方体の組立構造となるように構成され、
前記略垂下状態の前記側板部を前記屈曲線から回動させて、前記座板部の上方に重ねると共に、前記略直立状態の前記側板部を前記屈曲線から回動させて、前記底板部の下方に重ねることにより、折り畳み構造となるものであり、
前記天側シートと前記底側シートとは、２枚の内外シートの間に多数の小筒部を配置した合成樹脂製ボードから構成され、
前記多数の小筒部は、複数の小筒部を直線状に等間隔に配置した筒列が、複数列互いに平行に配列されたものであり、
前記筒列は、前記屈曲線を斜めに横切っていることを特徴とする組立便器。
【請求項２】
前記略垂下状態の前記側板部を前記屈曲線から外側に略３直角回動させて、前記座板部の上方に重ねると共に、前記略直立状態の前記側板部を前記屈曲線から外側に略３／４回転させて、前記底板部の下方に重ねることにより、折り畳み構造となるものであり、
前記折り畳み構造において、前記天側シートの２つの前記側板部同士が重ならず、前記底側シートの２つの前記側板部同士が重ならないものであることを特徴とする請求項１記載の組立便器。
【請求項３】
前記屈曲線は、前記天側シート及び前記底側シートの内側から外側に凹んだ谷溝を備え、
前記谷溝の幅は、前記小筒部の半径よりも大きく、
前記筒列のそれぞれの列は、少なくとも３個の前記小筒部の全部または一部が、前記谷溝内に位置しており、
前記谷溝の長手方向における前記小筒部の配置状態が周期的に変化していることを特徴とする請求項１又は２に記載の組立便器。
【請求項４】
前記屈曲線以外のシートを曲げるための線を、前記天側シートが備えていないことを特徴とする請求項１〜３の何れかに記載の組立便器。
前記屈曲線以外のシートを曲げるための線を、前記天側シートが備えていないことを特徴とする請求項１〜３の何れかに記載の組立便器。
【手続補正書】
【提出日】平成29年6月27日(2017.6.27)
【手続補正１】
【補正対象書類名】特許請求の範囲
【補正対象項目名】請求項４
【補正方法】変更
【補正の内容】
【請求項４】
前記屈曲線以外のシートを曲げるための線を、前記天側シートが備えていないことを特徴とする請求項１〜３の何れかに記載の組立便器。